(57)【要約】【課題】  展開状態にあるトレーのブランクを組立てるときワンタッチで一挙に仕切りまで自動的に組立てることができる、仕切りと箱が一体化されたトレーを提供すること。【解決手段】  本発明は、平坦な底板と、その底板の周辺から上方に延長された側壁を設け、隣接する側壁同士を接着または組込みにより連結するトレーにおいて、前記底板面に折目線を設け、該折目線から上方に拡開傾斜して、トレーの側壁面に突き当たる長さに形成した片持ちヒンジ型の仕切り片を設けたものである。  展開状態からトレーのブランクを組立てるとき、側壁に沿って一挙に仕切りが組上がるという効果を奏する。【選択図】  図１
2005187041.tif 000002
【特許請求の範囲】
【請求項１】
平坦な底板と、その底板の周辺から上方に延長された側壁を設け、隣接する側壁同士を接着または組込みにより連結するトレーにおいて、前記底板面に折目線を設け、該折目線の両端から底面より側壁面の一部にかけて切断線を入れ、該切断線を側壁面で繋がるようにして起立部を区画形成し、該折目線から該起立部を上方に拡開傾斜して、トレーの側壁面に突き当たるようにした片持ちヒンジ型の仕切り片を設けたことを特徴とする仕切り一体形のトレー。
【請求項２】
起立部の形状が、杓子形であることを特徴とする請求項１に記載の仕切り一体形のトレー。
【請求項３】
カップ状物品を２列、複数個包装することを特徴とする請求項１〜２のいずれかに記載の仕切り一体形のトレー。
【発明の詳細な説明】
【技術分野】
【０００１】
本発明は、例えばカップ麺、カップ入り乳飲料、ゼリーなどのカップ入り物品を複数個詰めて輸送、保管に使用する仕切り一体形のトレーに関するものである。
【背景技術】
【０００２】
底面が小さく上面が大きい逆円錐台形の、所謂カップ状容器に食品や飲料等の内容物を充填したカップ入り物品は、ラーメン、うどんなどのインスタント麺類、ホテトチップなどの乾燥菓子類、コーヒーなどの飲料、ヨーグルト、ゼリーなど様々な食品に使用されている。
これらカップ入り物品を包装して輸送、保管する場合、被包装物の移動を規制するために、被包装物を１個単位或いは数個単位で位置決めする中仕切りや中敷（パッド）が使用されていた。このような中仕切りや中敷は、輸送箱やトレーとは別々に組立てられ、箱の中に被包装物を収容する前に設置しなければならず、ワンタッチでセットすることはできない。また、複数部材からなるために、多量の材料を必要とし、組立てるにも手間がかかるなど多くの問題があった。
【０００３】
こうしたことから、従来からも仕切りのための別部材を用いることなく、箱の底面と側面の両方から箱の内側に突出する仕切りを設け、かつその突出部により収容物の移動を規制できる仕切りつきトレー（例えば特許文献１、特許文献２参照）、もしくは容器用仕切り（特許文献３）が開発されている。
【特許文献１】実公平６−１３０６２号公報
【特許文献２】特開２００１−３２２６２７号公報
【特許文献３】特開２０００−６２７６３号公報
【発明の開示】
【発明が解決しようとする課題】
【０００４】
しかるに従来のものは、箱の底面と側面のそれぞれから折曲げ方向が異なる折曲げ部を設けているため、この仕切板を箱内に立ち上げる際に、必ず山折り部と谷折り部に手を添え或いは治具で持ち上げて、仕切板を山折り線と谷折り線に沿ってトレー箱から折り曲げて起す必要があった。これを要するにトレーのブランクを組立てるとき一挙に仕切りまで組上がる構造になっていなかった。また、トレーの長手方向に対する被包装物の動きは防止できるが、トレーの短手方向に対する被包装物の動きは防止できないという問題がある。
そこで本発明は、上記問題点を解決し、展開状態にあるトレーのブランクを組立てるときワンタッチで一挙に仕切りまで自動的に組立てることができる、仕切りと箱が一体化されたトレーであり、かつ、全ての方向に対して被包装物の動きを防止できるトレーを提供することを目的とする。
【課題を解決するための手段】
【０００５】
上記目的を達成するため、本発明の第１は、「平坦な底板と、その底板の周辺から上方に延長された側壁を設け、隣接する側壁同士を接着または組込みにより連結するトレーにおいて、前記底板面に折目線を設け、該折目線の両端から底面より側壁面の一部にかけて切断線を入れ、該切断線を側壁面で繋がるようにして起立部を区画形成し、該折目線から該起立部を上方に拡開傾斜して、トレーの側壁面に突き当たるようにした片持ちヒンジ型の仕切り片を設けたことを特徴とする仕切り一体形のトレー」を構成要件とする。
また、本発明の第２は、起立部の形状が杓子形である本発明の第１に記載の仕切り一体形のトレーである。
更に、本発明の第３は、カップ状物品を２列、複数個包装する本発明の第１〜２に記載の仕切り一体形のトレーである。
【発明の効果】
【０００６】
本発明のトレーによれば、仕切りのための別部材を用いることなく、箱の底面のみから箱の側面に突出する仕切りを設け、かつその突出部により収容物の片寄り、移動を規制できる。
また、展開状態からトレーのブランクを組立てるとき、側壁に沿って一挙に仕切りが組上がるという効果を奏する。
更に、本発明のトレーは、全ての方向に対して被包装物の動きを防止できる。
【発明を実施するための最良の形態】
【０００７】
図１は、この発明に係る仕切り一体の自動組立てトレーの段ボールブランク図を示す。このブランクでは、ほぼ矩形状をした底板１の一対の長辺に長側壁２，２を設け、他方の一対の短辺に短側壁３，３を設ける。短側壁３，３の両端縁には継代片４，４が付設されている。
また、前記底板１の中央付近長側壁寄りの位置から、該トレーの対向する長側壁２，２の面に突き当たる長さに形成した片持ちヒンジ型の仕切り片５が、対向する長側壁に平行に設けた折目線７を起点とする切込み６により所定間隔で複数個、対称的に形成されている。図示の仕切り片５は、一例として、「杓子」のような形状に形成されている。杓子の柄に相当する部分が凹レンズ断面状の曲線を有するのは、テーパーカップ形状の内容物を収納の際に、仕切り片の曲線が前記テーパーカップの側面の曲線に沿うように設計したためである。このような曲線を有することによって、前記内容物をしっかりと固定可能である。従って、この部分の形状については、内容物の形状に合わせて設計するものとする。
【０００８】
このブランクを組立てるには、図２及び図３に示すように、先ず、底板１の長辺（底罫線）を逆折りしてから、その長辺を正折りすると、片持ちヒンジ型の仕切り片５が長側壁２，２に沿って立ち上がる。すなわち、図４に示すように、長側壁２を立ち上げる方向と仕切り片５が折れる方向が同じであるから、側面を立ち上げるとき仕切りが長側壁面に当り、自然と斜めに持ち上がるのである。
しかる後、継代片４，４を内側に折りまげて長側壁２の内面に貼着して隣接する側壁同士を固定する。
【０００９】
図６は、本発明の手組トレーの一実施形態を示す斜視図である。
図１の実施例と異なる点は、対向する短側壁３，３の両端縁には継代片４，４が付設させる代わりに、短側壁３，３の延長上に、両端に差込突起部８ａを有する折り返し片９を一体に形成し、一方、隣接する対向長側壁２，２の端縁部に折込片１０，１０を設け、かつその折込片の付根の折目線に沿って前記差込突起部８ａに対応して差込溝１１，１１を設けたものである。図１の実施例と同一の部分は、同一の符号を付し詳しい説明を省略した。
【００１０】
このブランクを組立てるときも、図２及び図３に示す例と同様に、先ず、底板１の長辺（底罫線）を逆折りしてから、その長辺を正折りすると片持ちヒンジ型の仕切り片５が長側壁２，２に沿って立ち上がる。図４にも示すように、長側壁２を立ち上げる方向と、仕切り片５が折れる方向が同じであるから、側面を立ち上げるとき仕切りが側面に当り、自然と斜めに持ち上がる。
しかる後、長側壁２と短側壁３を順次を内側に折りまげ、次に、差込突起部８ａを有する折り返し片９を短側壁３の内面に折り曲げて隣接する差込突起部８ａを差込溝１１，１１に係合させて側壁同士を固定する。
【００１１】
そして、図５のようにカップ麺、カップ入り乳飲料、ゼリーなどを包装して輸送、保管する場合、各仕切り片５、５の間に被包装物を収納すると、被包装物は仕切り片間の底板１で支持され、被包装物間に突出する仕切り片により被包装物の移動が規制されるので、運搬中に被包装物が片寄ったり衝突したりすることがない。
また、このトレーでは仕切り板を底板から切起して設けているために、別部材を用いることなく、材料の節約ができる。
また、トレーを機械で組立てるときも、また手組みによりトレーを組立てるときも、展開状態からトレーのブランクを組立てるとき、側壁に沿って仕切りが一挙に組上がるという効果を発揮する。
【図面の簡単な説明】
【００１２】
【図１】本発明たる仕切り一体の自動組立てトレーの段ボールブランクを示す平面図。
【図２】トレーの底罫線を逆折りする斜視図。
【図３】トレーの底罫線を正折りする斜視図。
【図４】トレーの側壁と、仕切り片が立ち上がる状態を横から見た挙動図。
【図５】トレーの仕切り片の間に被包装物を収納した状態を示す斜視図。
【図６】本発明たる手組トレーの段ボールブランクを示す平面図。
【符号の説明】
【００１３】
１  底板
２  長側壁
３  短側壁
４  継代片
５  仕切り片
６  切込み
７  折目線
８ａ  差込突起部
９  折り返し片
１０  折込片
１１  差込溝
【図１】
2005187041.tif 000003
【図２】
2005187041.tif 000004
【図３】
2005187041.tif 000005
【図４】
2005187041.tif 000006
【図５】
2005187041.tif 000007
【図６】
2005187041.tif 000008